(57)【特許請求の範囲】
【請求項１】
第１壁部分（７）と、
第２壁部分（８）と、
該第１壁部分（７）と該第２壁部分（８）を連結させる固定装置（１５）を含んだ引出し（４）であって、
該固定装置（１５）は、前記壁部分（７、８）同士を拘束するために少なくとも１つの拘束要素（１６）を有しており、
該拘束要素（１６）は、前記壁部分の一方（８）の開口部（１７）内に導入でき、そこで、締め付け固定によって固定可能な２つ以上のバネ弾性を有する舌部（１６ａ）を有しており、
前記拘束要素（１６）は略櫛状形態であり、帯体部分（１９）の長手方向に間隔が開けられると共に、前記開口部（１７）の長手方向（L）に間隔が開けられた複数の前記舌部（１６ａ）は、該帯体部分（１９）から横方向に突出しており、少なくとも１つの舌部（１６ａ）を拘束位置から解放可能にする解放装置（２４）が提供されており、前記解放装置（２４）は人によって作動されるレバー（２５）を有しており、該レバー（２５）の作動によって、前記舌部（１６ａ）のバネ弾性作用に対して反発する関係にて、前記２つの壁部分（７、８）の締め付け固定が解除されて、該壁部分（７、８）が分離される解放位置にまで、少なくとも１つの舌部が拘束位置から始動して可動であることを特徴とする引出し。
【請求項２】
少なくとも１つの舌部（１６ａ）は、前記開口部（１７）の長手方向（Ｌ）に対して傾斜して延出する長手方向を有していることを特徴とする請求項１記載の引出し。
【請求項３】
少なくとも１つの舌部（１６ａ）は、鋭利な縁部の形状であって、
該舌部（１６ａ）と前記帯体部分（１９）との間で接続位置に対して押し入れる方向に見て、後方にずれて配置されている自由端を有していることを特徴とする請求項１または２記載の引出し。
【請求項４】
少なくとも１つの舌部（１６ａ）は、前記開口部（１７）内で自動的に拘束する関係にて保持されることを特徴とする請求項１から３のいずれかに記載の引出し。
【請求項５】
少なくとも１つの舌部（１６ａ）は、金属製で、前記拘束要素（１６）と一体形成されていることを特徴とする請求項１から４のいずれかに記載の引出し。
【請求項６】
前記開口部（１７）は壁部分（８）の前記長手方向（Ｌ）に延びる溝の形状であることを特徴とする請求項１から５のいずれかに記載の引出し。
【請求項７】
前記固定装置（１５）は、前記レバー（２５）を前記解放位置にて保持させる保持装置（２７）を有していることを特徴とする請求項１から６のいずれかに記載の引出し。
【請求項８】
組み立て位置において、前記第１壁部分（７）と前記第２壁部分（８）は、略直線的に延出する引出し壁部分を共同で形成することを特徴とする請求項１から７のいずれかに記載の引き出し。
【請求項９】
前記壁部分の一方（７）は、引出し側壁部（６）の掛留装置（１２）に解放可能に掛け留めできる少なくとも１つの保持部分（１１）を有していることを特徴とする請求項１から８のいずれかに記載の引出し。
【請求項１０】
請求項１から９のいずれかに記載の少なくとも１つの引出しを含んでいることを特徴とする家具。
【発明の詳細な説明】
【技術分野】
【０００１】
本発明は、第１壁部分と第２壁部分、および第１壁部分と第２壁部分とを連結させる固定装置を含んだ引出しに関する。固定装置は、それら壁部分を相対的に拘束する少なくとも１つの拘束要素を有する。拘束要素は、それら壁部分の一方の開口部内に導入でき、その中で固定、特にクランプ式に固定できる少なくとも１つの、特にバネ弾性である舌部を有する。
【０００２】
本発明は、少なくとも１つの以下で説明する引出しを含んだ家具にも関する。
【背景技術】
【０００３】
上述の一般タイプの引出しは、例えば、本出願人のＷＯ２００９／１１１８０７Ａ１で解説されており、２つの壁部分は、固定装置の把持要素によって並べて配置された後に相互固定できる。ＷＯ２００９／１１１８０７の図６から図８に示す実施例には、壁要素（部分）のガイド通路内に押し入れ可能な押し入れピンを備えた保持装置が提供されている。この構造には比較的に多数の部材が必要であり、加えて、それぞれの状況に応じて相当な力が把持要素の締め付けに要求される。
【０００４】
ＧＢ１４３１０４６ＡとＧＢ１５２２５９８Ａはそれぞれ２つの引出し壁部分を接続するための接続装置を解説する。接続装置の弾性掛留具は壁部分の開口部内に導入でき、それぞれの開口部に掛け留めされる。これら掛留具は大きな構造空間を必要とし、加えて、壁部分には対応する開口部が提供されなければならない。
【発明の概要】
【発明が解決しようとする課題】
【０００５】
本発明の目的は本明細書の初頭で説明されている一般的なタイプの引出しを提供することであり、この引出しの２つの壁要素（部分）を拘束する固定装置は単純構造であり、しかも安価で頑丈であり、２つの壁部分を互いに信頼性高く相互固定する。
【課題を解決するための手段】
【０００６】
本発明によれば、この目的は請求項１の特徴によって達成される。本発明のさらなる有利な形態は従属請求項において記載されている。
【０００７】
本発明によれば、拘束要素は略櫛形状であり、帯体部分の長手方向には間隔を開けて２以上の舌部が帯体部分から横方向に突出している。
【０００８】
好適にはバネ弾性を有しており、壁部分の開口部に押し入れ可能である舌部は、開口部の側面に当接することで開口部内に物理力固定状態に保持される。この場合、舌部は一方の壁部分に配置され、他方の壁部分に提供された開口部内に押し入れ可能である。この場合、壁部分の開口部は、壁部分の長手方向に延出する溝の形態でよく、舌部は壁部分の１端部で溝内に押し入れ固定することが可能であり、または締め付け固定することが可能である。休止位置では舌部は開口部の縁部を越えて外側に突起でき、開口部に押し入れられると舌部は、好適には舌部のバネ作用力に反発するように開口部内に曲がって入り、開口部の側面に常時当接することによって自己拘束状態で保持される。
【０００９】
１実施形態では、少なくとも１つの舌部は長手方向を有しており、その長手方向は開口部の長手方向に対して傾斜して延びている。これで舌部の自由端は一種の留掛部を形成し、開口部内に鉤爪関係で係合することで不都合な引き抜きが防止される。
【００１０】
舌部は自由端、好適には鋭利縁部形態の自由端を有することができ、押し入れ方向から見て、舌部と帯体部分との間の接続位置に対して後方に移動して配置されている。このような構造の舌部は挿入方向に押し入れ可能であるが反対方向には引き抜けない。
【００１１】
本発明の１形態では解放装置が提供される。解放装置は、少なくとも１つの舌部を拘束位置から解放することができる。
【００１２】
本発明の家具は、このような引出しを少なくとも１つ含んでいることを特徴とする。
【００１３】
本発明のさらなる詳細と利点は、添付図面で示す実施例を利用して説明される。
【図面の簡単な説明】
【００１４】
【図１】キャビネット形態の家具の斜視図であり、接続される２つの壁部分は共同で内側延出引出しの前壁部を形成する。
【図２】内側延出引出しの形態の引出しを示しており、その前壁部は固定されていない。
【図３】第１壁部分と第２壁部分で形成される分解状態の引出しの前壁部を示す。
【図４】連結された壁部分の斜視図である。
【図５ａ】第１壁部分の斜視図と、連結される２つの壁部分の斜視図である。
【図５ｂ】第１壁部分の斜視図と、連結される２つの壁部分の斜視図である。
【図６ａ】連結された２つの壁部分を示しており、拘束要素の舌部は壁部分の開口部内に部分的に押し入れられ、別実施例の壁部分は固定装置を有している。
【図６ｂ】連結された２つの壁部分を示しており、拘束要素の舌部は壁部分の開口部内に部分的に押し入れられ、別実施例の壁部分は固定装置を有している。
【図７ａ】第１壁部分の斜視図と、壁部分の拡大詳細図であり、２つの壁部分は解放装置によって分離が可能である。
【図７ｂ】第１壁部分の斜視図と、壁部分の拡大詳細図であり、２つの壁部分は解放装置によって分離が可能である。
【発明を実施するための形態】
【００１５】
図１は、家具枠体２を含んだ家具１の斜視図であり、引出し３、４、５は家具枠体２に対して移動可能に支持されている。中央引出し４は、閉位置では下方引出し５の上方に延出した前方パネルによって隠遮されている内側延出引き出し４の形態である。引出し４は、引出し側壁部６、引出し底部３２、および、この実施例では側方の２つの第１壁部分７と、それらの間に配置された第２壁部分８とを含んだ前壁部を有している。
【００１６】
図２は、図１で示す内側延出引出しの形態の引出し４を図示する。それは、引出し側壁部６と、引出し底部３２と、後壁部１０とを含んでいる。引出し４の前壁部は、以下で説明する固定装置１５によって第２壁部分８にそれぞれ接続される２つの側方の第１壁部分７を含む。壁部分７、８は共同で、略直線的に延出する引出し壁部分を、ここでは前壁部の形態である引出し壁部分を形成する。第１壁部分７はそれぞれ少なくとも１つの保持部分１１を裏側に有しており、保持部分１１は引出し側壁部６の掛留装置１２と解放可能に掛け留めできる。
【００１７】
図３は、少々改変された壁部分７、８を図示する。この実施例では、２つの第１壁部分７は、高さ方向で離れており、引出し側壁部６の別々の掛留装置１２（図１）にそれぞれ解放可能に掛け留めできる２つの保持部分１１を含む。壁部分７にはそれぞれプレート状壁部分１４を受領する挿入ポケット１３が提供されており、プレート状壁部分１４は、ガラス製、木製、金属製、プラスチック製またはセラミック製の飾インサートの形態でよい。壁部分７にはそれぞれ垂直方向で間隔を有した固定装置１５が配置されている。これは、それぞれ第２壁部分８の開口部１７の端部で挿入可能で、そこに締め付け式に固定できる、好適にはバネ弾性の舌部１６ａ（図５ｂ）を有する。上側にて第２壁部分８は、プレート状壁要素１４が下方長手縁部で収まることができる、好適にはＵ形状の溝１８を有する。
【００１８】
図４は、相互連結された状態の壁部分７と８を示す。プレート状壁要素１４は両者間に受領されている。壁部分７、８の改善された固定のため、それぞれの固定装置１５には拘束要素１６を提供できる。拘束要素１６は、壁部分８の長手方向に間隔が開けられた２以上の舌部１６ａ（図５ｂ）を含み、取り付け状態の舌部１６ａはそれぞれ開口部１７（図２）の側面に、好適には自身の弾性によって当接する。
【００１９】
図５ａは第１壁部分７の斜視図である。そこに配置され、プレート状壁要素１４の端部領域を受領するように設計されている挿入ポケット１３が提供されている。２つの保持部分１１は引出し側壁部６に対して壁部分７を固定するように作用する。壁部分７の高さ方向に間隔を有する２つの固定装置１５は２つの壁部分７、８の間に傾斜抵抗性接続を提供することができる。固定装置１５はそれぞれ２以上の舌部１６ａを備えた拘束要素１６を有する。
【００２０】
図５ｂは、第１壁部分７の一部と、第２壁部分８の端部領域を拡大斜視図で示す。第２壁部分８の開口部１７は延出方向（Ｌ）を有しており、舌部１６ａの長手方向は開口部１７の延出方向（Ｌ）に対して傾斜している。拘束要素１６は略櫛状であり、帯体部分１７と、帯体部分１９の長手方向に間隔を開け、帯体部分１０から横方向に突出する複数の舌部１６ａとを有している。舌部１６ａはそれぞれ自由端、好適には鋭利縁部形態の自由端を有しており、それらは舌部１６ａの挿入方向である後方に向けられている。舌部１６ａは金属製であり、好適には拘束要素１６と一体的に形成されている。図示の実施例では、壁部分８の開口部１７は壁部分８の延出方向（Ｌ）に延出する溝の形態である。組み立てられると、舌部１６ａは開口部１７内に押し入れられ、開口部１７の側面２０に当接する。
【００２１】
図６ａは、第１壁部分７と第２壁部分８の一部を示しており、固定装置１５の舌部１６ａは、第２壁部分８の下方開口部１７内に部分的に押し入れられる。舌部１６ａの鋭利縁自由端は、下方陥没部（開口部）１７の側面２０に常時接している。第２壁部分８の上方陥没部１７は溝形状であり、１つの押し入れ突起部２１のみを上方開口部１７内に挿入させるのに十分な大きさのものである。
【００２２】
図６ｂは、垂直に間隔を開けた固定装置１５を備えた第１壁部分７の一部領域を図示する。ここで特に重要なことは、舌部１６ａを拘束位置から解放させる解放装置２４が提供されていることである。解放装置２４は人によって駆動されるレバー２５を含み、レバー２５の駆動によって、舌部１６ａは拘束位置から、好適には舌部１６ａのバネ弾性作用に対抗する方向に、２つの壁部分７、８の締め付け固定が移動し、壁部分７、８が互いに分離できる解放位置にまで動ける。レバー２５は、軸２３の周囲を旋回でき、さらなる目的である、舌部１６ａの先端２２のみが少々横方向に突出するよう舌部１６ａを抱擁するように取り付けられる。これで人に怪我させたり、物体に損傷を与えるリスクが大きく低減される。レバー２５は、例えば、ドライバで軸２３の周囲を舌部１６ａの弾性力に対抗して旋回することができ、舌部１６ａの先端２２は押し戻され、開口部１７の側面２０には当接しないようになり、壁部分７、８は互いから分離できる。２つの壁部分７、８を分離する際に人が舌部１６ａの弾性作用力に対抗して物理力を連続的に提供する必要がないように、レバー２５を解放位置に保持する保持装置２７が提供される。図示するように、保持装置２７は、拘束要素１６に提供され、解放位置ではレバー２５の対応する窓部３１（図７ｂ）に解放可能に掛け留める突出部３０（図７ｂ）を有することができる。レバー２５の適切な作動で、突出部３０は窓部３１から再び脱係合し、舌部１６ａは弾性的に拘束位置にまで自動的に戻ることができる。
【００２３】
図７ａは、第１壁部分７の下側からの斜視図であり、レバー２５はドライバ２８によって軸２３の周囲で、舌部１６ａの弾性作用力に対抗して解放位置にまで可動であり、舌部１６ａは開口部１７内に拘束されなくなる。図７ｂは図７ａで示す丸で囲まれた領域の拡大図である。レバー２５はドライバ２８の受領手段２９を有しており、レバー２５は、軸２３の周囲で舌部１６ａの弾性作用に対抗してドライバ２８の回転運動により旋回し、舌部１６ａの先端２２が、拘束要素１６の突出部３０がレバー２５の対応する窓部３１に掛け留めされ、先端２２を側面２０から離れた解放位置で保持するまで押し戻される。突出部３０はドライバ２８の逆方向回転運動によって窓部３１から再び脱係合でき、舌部１６ａは弾性的に拘束位置にまで自動的に戻る。
【００２４】
本発明は説明した実施例に限定されず、「請求の範囲」に記載されたスコープ内の全ての変形および技術的均等物にも及ぶ。例えば、上、下、横、等々の位置的表現は本明細書に関するものであり、図示の実施例の全体的姿勢が変更されれば、適宜変更されるべきものである。
【図１】
0005969032.tif 000002
【図２】
0005969032.tif 000003
【図３】
0005969032.tif 000004
【図４】
0005969032.tif 000005
【図５ａ】
0005969032.tif 000006
【図５ｂ】
0005969032.tif 000007
【図６ａ】
0005969032.tif 000008
【図６ｂ】
0005969032.tif 000009
【図７ａ】
0005969032.tif 000010
【図７ｂ】
0005969032.tif 000011